(57)【要約】【課題】映像信号を切り替える際に、高速にコンテンツの映像を表示することが可能なテレビジョン装置を提供する。【解決手段】この液晶テレビジョン１００（テレビジョン装置）は、デジタル映像信号を入力可能なＨＤＭＩ接続部３２ａ〜３２ｄと、映像表示部１３に表示させる映像を切替制御可能なメイン制御部１０と、ＨＤＭＩ接続部３２ａ〜３２ｄに入力されたデジタル映像信号の認証処理を予め行うとともに、入力されたデジタル映像信号の画像データ処理を予め行うように構成されたサブ制御部３３ａ〜３３ｄとを備える。メイン制御部１０は、映像表示部１３に表示する映像をＨＤＭＩ接続部３２ａ〜３２ｄに入力された映像に切り替える切替操作に基づいて、サブ制御部３３ａ〜３３ｄにより予め行われた認証処理済みおよび画像データ処理済みの映像を映像表示部１３に出力させるように構成されている。【選択図】図２
2011160240.tif 000002
【特許請求の範囲】
【請求項１】
映像を表示可能な表示部と、
前記表示部に表示する映像の映像信号を外部機器から入力可能な外部接続部と、
前記表示部に表示させる映像を切替制御可能なメイン制御部と、
前記外部接続部に入力された前記映像信号の認証処理を予め行うとともに、前記外部接続部に入力された前記映像信号の画像データ処理を予め行うように構成されたサブ制御部とを備え、
前記メイン制御部は、前記表示部に表示する映像を前記外部接続部に入力された前記映像信号に対応する映像に切り替える切替操作に基づいて、前記サブ制御部により予め行われた前記認証処理済みおよび前記画像データ処理済みの映像を前記表示部に出力させるように構成されている、テレビジョン装置。
【請求項２】
前記外部接続部は、複数設けられており、
前記サブ制御部は、前記複数の外部接続部の各々に対応するように複数設けられており、
複数の前記サブ制御部は、映像信号が入力されている複数の前記外部接続部に対して、前記映像信号の認証処理および画像データ処理を予め並行して行うように構成されている、請求項１に記載のテレビジョン装置。
【請求項３】
前記サブ制御部は、前記外部接続部から入力された前記映像信号を所定の解像度に調整することにより、前記映像信号の画像データ処理を予め行うように構成されている、請求項１または２に記載のテレビジョン装置。
【請求項４】
前記外部接続部は、複数設けられており、
前記サブ制御部は、複数の前記外部接続部に対応するように複数設けられており、
複数の前記サブ制御部は、それぞれ、対応する複数の前記外部接続部から入力された前記映像信号を同一の所定の解像度に調整することにより、前記映像信号の画像データ処理を予め行うように構成されている、請求項３に記載のテレビジョン装置。
【請求項５】
前記サブ制御部は、前記メイン制御部が処理可能な前記映像信号の解像度を前記メイン制御部から取得するとともに、前記外部接続部から入力された前記映像信号を前記メイン制御部が処理可能な前記映像信号の解像度に調整することにより、前記映像信号の画像データ処理を予め行うように構成されている、請求項３または４に記載のテレビジョン装置。
【請求項６】
前記サブ制御部は、前記メイン制御部が処理可能な前記映像信号の解像度のうち最高の解像度を前記メイン制御部から取得するように構成されている、請求項５に記載のテレビジョン装置。
【請求項７】
前記サブ制御部は、前記外部接続部に入力された映像信号の解像度を前記メイン制御部に通知するとともに、前記メイン制御部に通知した前記解像度と同じ解像度で、前記外部接続部に入力された前記映像信号の画像データ処理を予め行うように構成されている、請求項３に記載のテレビジョン装置。
【請求項８】
前記外部接続部は、外部からデジタル映像信号を受信可能な外部接続部である、請求項１〜７のいずれか１項に記載のテレビジョン装置。
【請求項９】
前記外部接続部は、外部からデジタル映像信号を受信可能なＨＤＭＩ接続部を含む、請求項８に記載のテレビジョン装置。
【発明の詳細な説明】
【技術分野】
【０００１】
この発明は、テレビジョン装置に関し、特に、外部機器から入力された映像信号を表示するテレビジョン装置に関する。
【背景技術】
【０００２】
従来、外部機器から入力された映像信号を表示するテレビジョン装置などが知られている（たとえば、特許文献１および２参照）。
【０００３】
上記特許文献１には、外部機器から入力された映像信号の画像データ処理を行うＭＰＵ（メイン制御部）と、不正にコピーされるのを防止する著作権保護機能が有効な映像信号を出力する外部機器を認識した場合に、外部機器から出力された映像信号の著作権保護機能を解除する認証処理を予め行う認証ＩＣ（サブ制御部）とを備えるデジタル放送受信機（テレビジョン装置）が開示されている。また、上記特許文献１によるデジタル放送受信機のＭＰＵは、認証ＩＣにより著作権保護機能が解除された映像信号に切り替えるように操作された場合に、その映像信号の画像データ処理を行うように構成されている。
【０００４】
また、上記特許文献２には、テレビジョン装置の表示部に表示されている映像の映像信号の現在の解像度を取得するとともに、テレビジョン装置と接続された場合に、テレビジョン装置の表示部に表示されている映像（映像信号）の解像度と同じ解像度で操作画面を接続されたテレビジョン装置に出力するＡＶ機器が開示されている。この特許文献２によるＡＶ機器では、テレビジョン装置の表示部に表示されている映像（映像信号）の解像度と同じ解像度で操作画面の映像信号を出力することにより、テレビジョン装置の表示がＡＶ機器に切り替えられた場合に高速に出画を行うように構成されている。その後、ユーザによりＡＶ機器のコンテンツ（映画など）再生が選択されると、そのコンテンツの解像度で映像信号を出力するために映像信号の再認証処理や画像データ処理（解像度変換処理）を行ってから、そのコンテンツの解像度で映像信号を出力するように構成されている。
【先行技術文献】
【特許文献】
【０００５】
【特許文献１】特開２００８−３０６２３２号公報
【特許文献２】特開２００７−８９０１３号公報
【発明の概要】
【発明が解決しようとする課題】
【０００６】
しかしながら、上記特許文献１に記載のデジタル放送受信機（テレビジョン装置）では、認証ＩＣ（サブ制御部）により、外部機器から出力された映像信号の著作権保護機能を解除する認証処理を予め行う一方で、認証ＩＣにより著作権保護機能が解除された後の映像信号の画像データ処理がＭＰＵ（メイン制御部）により行われる。このため、認証ＩＣにより著作権保護機能が解除された映像信号に切り替えるように操作された場合に、ＭＰＵ（メイン制御部）が映像信号の画像データ処理を行う分、テレビジョン装置側において高速に映像を表示することができないという問題点がある。
【０００７】
また、上記特許文献２に記載のＡＶ機器では、テレビジョン装置の表示がＡＶ機器に切り替えられた際に、テレビジョン装置の表示部に表示されている映像信号の解像度と同じ解像度で操作画面の映像信号をテレビジョン装置に対して出力するため、外部機器（ＡＶ機器）の切り替え時に高速な出画を行うことが可能である。その一方で、映像信号を操作画面からコンテンツの映像に切り替える際には、そのコンテンツの解像度で映像信号を出力するために映像信号の再認証処理や画像データ処理（解像度変換処理）を行ってから、そのコンテンツの解像度で映像信号を出力する必要があるため、映像信号の再認証処理や映像信号の画像データ処理（解像度変換処理）を行う分、高速にコンテンツの映像を表示することができないという問題点がある。
【０００８】
この発明は、上記のような課題を解決するためになされたものであり、この発明の１つの目的は、映像信号を切り替える際に、高速にコンテンツの映像を表示することが可能なテレビジョン装置を提供することである。
【課題を解決するための手段および発明の効果】
【０００９】
この発明の一の局面によるテレビジョン装置は、映像を表示可能な表示部と、表示部に表示する映像の映像信号を外部機器から入力可能な外部接続部と、表示部に表示させる映像を切替制御可能なメイン制御部と、外部接続部に入力された映像信号の認証処理を予め行うとともに、外部接続部に入力された映像信号の画像データ処理を予め行うように構成されたサブ制御部とを備え、メイン制御部は、表示部に表示する映像を外部接続部に入力された映像信号に対応する映像に切り替える切替操作に基づいて、サブ制御部により予め行われた認証処理済みおよび画像データ処理済みの映像を表示部に出力させるように構成されている。
【００１０】
この一の局面によるテレビジョン装置では、上記のように、外部接続部に入力された映像信号の認証処理を予め行うとともに、外部接続部に入力された映像信号の画像データ処理を予め行うように構成されたサブ制御部を設け、メイン制御部を、表示部に表示する映像を外部接続部に入力された映像信号に対応する映像に切り替える切替操作に基づいて、サブ制御部により予め行われた認証処理済みおよび画像データ処理済みの映像を表示部に出力させるように構成することによって、ユーザにより表示部に表示する映像を外部接続部に入力された映像信号に対応する映像に切り替える切替操作があった場合にも、サブ制御部により映像信号の認証処理および画像データ処理が予め行われているので、切替操作後におけるメイン制御部側での映像信号に関する処理の量を減らすことができる。これにより、切替操作後において映像信号の認証処理および画像データ処理が行われない分、映像信号を切り替える際の時間を短縮化することができるので、映像信号を切り替える際に、メイン制御部側において高速にコンテンツの映像を表示することができる。
【００１１】
上記一の局面によるテレビジョン装置において、好ましくは、外部接続部は、複数設けられており、サブ制御部は、複数の外部接続部の各々に対応するように複数設けられており、複数のサブ制御部は、映像信号が入力されている複数の外部接続部に対して、映像信号の認証処理および画像データ処理を予め並行して行うように構成されている。このように構成すれば、ユーザにより表示部に表示する映像を映像信号が入力されている外部接続部に対応する映像に切り替える切替操作があった場合にも、映像信号の認証処理および画像データ処理が予め並行して行われているので、容易に、映像信号を切り替える際の時間を短縮化することができる。
【００１２】
上記一の局面によるテレビジョン装置において、好ましくは、サブ制御部は、外部接続部から入力された映像信号を所定の解像度に調整することにより、映像信号の画像データ処理を予め行うように構成されている。このように構成すれば、画像データ処理のうち比較的処理時間を必要とする解像度の調整を切替操作後に行う必要がないので、映像信号を切り替える際の時間を効果的に短縮化することができる。
【００１３】
上記所定の解像度に調整する画像データ処理を予め行う構成において、好ましくは、外部接続部は、複数設けられており、サブ制御部は、複数の外部接続部に対応するように複数設けられており、複数のサブ制御部は、それぞれ、対応する複数の外部接続部から入力された映像信号を同一の所定の解像度に調整することにより、映像信号の画像データ処理を予め行うように構成されている。このように構成すれば、サブ制御部からメイン制御部に伝達される映像信号の解像度を統一することができるので、サブ制御部による画像データ処理後のメイン制御部による映像信号の処理をより簡素化することができる。これにより、映像信号を切り替える際の時間をより短縮化することができるので、映像信号を切り替える際に、メイン制御部側において高速にコンテンツの映像を表示することができる。
【００１４】
上記所定の解像度に調整する画像データ処理を予め行う構成において、好ましくは、サブ制御部は、メイン制御部が処理可能な映像信号の解像度をメイン制御部から取得するとともに、外部接続部から入力された映像信号をメイン制御部が処理可能な映像信号の解像度に調整することにより、映像信号の画像データ処理を予め行うように構成されている。このように構成すれば、サブ制御部によりメイン制御部が処理可能な解像度になるように画像データ処理が行われる分、サブ制御部による画像データ処理後のメイン制御部による映像信号の処理をより簡素化することができる。これにより、映像信号を切り替える際の時間をより短縮化することができるので、映像信号を切り替える際に、メイン制御部側において高速にコンテンツの映像を表示することができる。
【００１５】
この場合において、好ましくは、サブ制御部は、メイン制御部が処理可能な映像信号の解像度のうち最高の解像度をメイン制御部から取得するように構成されている。このように構成すれば、映像信号を切り替える際の時間をより短縮しながら、メイン制御部（テレビジョン装置）における最高の解像度で表示部にコンテンツの映像を表示させることができる。
【００１６】
上記所定の解像度に調整する画像データ処理を予め行う構成において、好ましくは、サブ制御部は、外部接続部に入力された映像信号の解像度をメイン制御部に通知するとともに、メイン制御部に通知した解像度と同じ解像度で、外部接続部に入力された映像信号の画像データ処理を予め行うように構成されている。このように構成すれば、外部接続部毎に異なる解像度の映像信号が入力される場合にも、外部接続部に入力された映像信号の解像度が予めメイン制御部に通知されるので、入力される映像信号の解像度で表示を行うための表示部に対する表示処理をメイン制御部側で迅速に行うことができる。これにより、映像信号の解像度が変更される（異なる解像度の映像信号が入力される）場合の表示処理を高速化することができるので、映像信号を切り替える際の時間をより短縮化することができる。
【００１７】
上記一の局面によるテレビジョン装置において、好ましくは、外部接続部は、外部からデジタル映像信号を受信可能な外部接続部である。このように構成すれば、映像信号の認証処理および画像データ処理に時間を要するデジタル映像信号であっても、切替操作後においてデジタル映像信号の認証処理および画像データ処理が行われない分、デジタル映像信号を切り替える際の時間を短縮化することができる。
【００１８】
この場合において、好ましくは、外部接続部は、外部からデジタル映像信号を受信可能なＨＤＭＩ（登録商標）接続部を含む。このように構成すれば、ＨＤＭＩ接続部を有するテレビジョン装置である場合にも、容易に、デジタル映像信号を切り替える際の時間を短縮化することができる。
【図面の簡単な説明】
【００１９】
【図１】本発明の第１実施形態による液晶テレビジョンの回路構成を示したブロック図である。
【図２】図１に示した第１実施形態による液晶テレビジョンのデジタル映像信号の処理を説明するための図である。
【図３】図１に示した第１実施形態による液晶テレビジョンにおけるデジタル映像信号の処理フローを説明するためのフローチャートである。
【図４】本発明の第２実施形態による液晶テレビジョンのデジタル映像信号の処理を説明するための図である。
【図５】本発明の第２実施形態による液晶テレビジョンにおけるデジタル映像信号の処理フローを説明するためのフローチャートである。
【発明を実施するための形態】
【００２０】
以下、本発明を具体化した実施形態を図面に基づいて説明する。
【００２１】
（第１実施形態）
図１および図２を参照して、本発明の第１実施形態による液晶テレビジョン１００の構成について説明する。なお、第１実施形態では、テレビジョン装置の一例である液晶テレビジョン１００に本発明を適用した場合について説明する。
【００２２】
本発明の第１実施形態による液晶テレビジョン１００は、図１に示すように、液晶テレビジョン１００の全体制御を司るメイン制御部（メインマイコン）１０と、主電源１１と、メイン制御部１０に接続された記憶部１２と、映像を表示可能な映像表示部１３と、音声を出力可能な音声出力部（スピーカ）１４と、リモコン装置２００からの操作信号を受信するリモコン受信部１５とを備えている。なお、映像表示部１３は、本発明の「表示部」の一例である。
【００２３】
主電源１１は、メイン制御部１０と接続されており、メイン制御部１０を介して液晶テレビジョン１００の各部に電源供給を行うことが可能に構成されている。記憶部１２は、後述するメイン制御部１０の設定情報（解像度など）などを記憶する機能を有する。また、リモコン受信部１５は、受光したリモコン装置２００からの操作信号に基づいてメイン制御部１０に指令を与える機能を有する。なお、メイン制御部１０の構成は、後に詳細に説明する。
【００２４】
また、液晶テレビジョン１００は、上記構成要素に加えて、内蔵ＴＶチューナー部３１と、４つのＨＤＭＩ（登録商標）接続部３２ａ、３２ｂ、３２ｃおよび３２ｄと、４つのサブ制御部（サブマイコン）３３ａ、３３ｂ、３３ｃおよび３３ｄと、入力切替ボタン３４とを備えている。なお、ＨＤＭＩ接続部３２ａ〜３２ｄは、それぞれ、本発明の「外部接続部」の一例である。
【００２５】
内蔵ＴＶチューナー部３１は、アンテナ２０を介してテレビジョン放送の放送信号波を受信する機能を有する。
【００２６】
ＨＤＭＩ接続部３２ａ、３２ｂ、３２ｃおよび３２ｄは、それぞれ、ブルーレイレコーダーなどの外部機器と接続可能に構成され、外部機器から出力されるデジタル映像信号をサブ制御部３３に入力する機能を有する。なお、第１実施形態では、本発明を説明する際の一例として、ＨＤＭＩ接続部３２ａ、３２ｂ、３２ｃおよび３２ｄにそれぞれ、ブルーレイレコーダー４１ａ、４１ｂ、４１ｃおよび４１ｄが接続されている例について説明する。なお、ブルーレイレコーダー４１ａ、４１ｂ、４１ｃおよび４１ｄは、本発明の「外部機器」の一例である。
【００２７】
ここで、第１実施形態では、サブ制御部３３ａ、３３ｂ、３３ｃおよび３３ｄは、それぞれ、対応するＨＤＭＩ接続部３２ａ、３２ｂ、３２ｃおよび３２ｄを介してデジタル映像信号が入力された場合に、デジタル映像信号をデコード処理するように構成されている。これらのサブ制御部３３ａ〜３３ｄは、それぞれ、デジタル映像信号の画像データ処理を予め行うように構成されている。また、各ＨＤＭＩ接続部３２ａ〜３２ｄに接続される外部機器（ブルーレイレコーダー４１ａ、４１ｂ、４１ｃおよび４１ｄなど）から出力されるデジタル映像信号には、高解像度のデジタル映像信号が不正にコピーされるのを防止する著作権保護機能としてのＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ  ｓｙｓｔｅｍ）技術を用いた暗号信号が含まれている。このため、サブ制御部３３ａ、３３ｂ、３３ｃおよび３３ｄは、それぞれ、対応するＨＤＭＩ接続部３２ａ、３２ｂ、３２ｃおよび３２ｄを介して入力されたデジタル映像信号のデコード処理（画像データ処理）に先立って、ＨＤＣＰ認証部３３０ａ、３３０ｂ、３３０ｃおよび３３０ｄ（図２参照）により、ＨＤＣＰ技術を用いた暗号信号を解除する認証処理を行うように構成されている。
【００２８】
また、第１実施形態では、サブ制御部３３ａ、３３ｂ、３３ｃおよび３３ｄは、外部入力接続部としてのＨＤＭＩ接続部３２ａ、３２ｂ、３２ｃおよび３２ｄのいずれかにデジタル映像信号が入力されている場合に、画像データ処理部３３１ａ、３３１ｂ、３３１ｃおよび３３１ｄ（図２参照）により、デジタル映像信号の上記認証処理および画像データ処理を予め並行して行う(常時行う)ように構成されている。つまり、サブ制御部３３は、現在映像表示部１３に表示されている映像の認証処理および画像データ処理のみならず、現在映像表示部１３に表示されている映像の認証処理および画像データ処理以外のデジタル映像信号の認証処理および画像データ処理も予め行う（常時行う）ように構成されている。
【００２９】
また、第１実施形態では、図２に示すように、サブ制御部３３ａ〜３３ｄは、ＨＤＭＩ接続部３２ａ〜３２ｄから入力されたデジタル映像信号を所定の解像度Ｄ（１０８０ｉ）に調整することにより、デジタル映像信号の画像データ処理を予め行うように構成されている。サブ制御部３３ａ〜３３ｄの各々に対応するＨＤＭＩ接続部３２ａ〜３２ｄに入力されるデジタル映像信号の解像度が解像度Ｄ（１０８０ｉ）よりも小さい解像度Ａ（４８０ｐ）、解像度Ｂ（７２０ｐ）および解像度Ｃ（７２０ｉ）である場合にも、入力されたデジタル映像信号を同一の所定の解像度Ｄ（１０８０ｉ）にアップスケール（調整）するように構成されている。
【００３０】
この所定の解像度Ｄ（１０８０ｉ）は、メイン制御部１０が処理可能なデジタル映像信号の解像度のうち最高の解像度であり、サブ制御部３３ａ〜３３ｄは、それぞれメイン制御部１０から予め設定情報（メイン制御部１０が処理可能なデジタル映像信号の解像度）を取得するように構成されている。このように、サブ制御部３３ａ〜３３ｄは、メイン制御部１０から予め取得した設定情報に基づき、ＨＤＭＩ接続部３２ａ〜３２ｄからそれぞれ入力されたデジタル映像信号をメイン制御部１０が処理可能なデジタル映像信号の解像度Ｄ（１０８０ｉ）に調整することにより、デジタル映像信号の画像データ処理を予め行うように構成されている。また、上記のように、メイン制御部１０が処理可能なデジタル映像信号の解像度Ｄ（１０８０ｉ）（設定情報）は、記憶部１２に記憶されている。このようにサブ制御部３３ａ〜３３ｄからメイン制御部１０に出力されるデジタル映像信号の解像度を共通の解像度Ｄ（１０８０ｉ）に調整することにより、メイン制御部１０は、外部入力（ＨＤＭＩ接続部３２ａ〜３２ｄ）が切り替えられた場合にも映像表示部１３に対して同一の解像度（解像度Ｄ）で表示処理を行うだけでよい。
【００３１】
また、第１実施形態では、図１に示すように、メイン制御部１０は、各サブ制御部３３ａ〜３３ｄと接続されており、サブ制御部３３ａ〜３３ｄにより処理されたデジタル映像信号を受信可能に構成されている。具体的には、ユーザが入力切替ボタン３４を押下する（またはリモコン装置２００を操作する）ことにより、メイン制御部１０は、サブ制御部３３ａ〜３３ｄのいずれかを選択するように構成されている。そして、メイン制御部１０は、選択されたサブ制御部（サブ制御部３３ａ〜３３ｄのいずれか）により処理されたデジタル映像信号を受信するとともに、受信したデジタル映像信号を映像表示部１３に表示させるように構成されている。つまり、メイン制御部１０は、映像表示部１３に表示する映像を外部入力接続部（ＨＤＭＩ接続部３２ａ〜３２ｄ）に入力されたデジタル映像信号に対応する映像に切り替える切替操作に基づいて、サブ制御部３３ａ〜３３ｄにより予め行われた認証処理済みおよび画像データ処理済みの映像を映像表示部１３に出力させるように構成されている。
【００３２】
次に、図１〜図３を参照して、第１実施形態による液晶テレビジョン１００におけるデジタル映像信号の処理フローについて説明する。なお、第１実施形態では、メイン制御部１０とサブ制御部３３ａ〜３３ｄとによりデジタル映像信号が処理される際の一例として、メイン制御部１０とサブ制御部３３ａとの処理フローについて説明する。
【００３３】
まず、図３に示すように、ステップＳ１において、メイン制御部１０（図１参照）により、メイン制御部１０に設定された設定情報（デジタル映像信号の解像度Ｄ（１０８０ｉ）など）がサブ制御部３３ａに送信される。これにより、ステップＳ１１において、サブ制御部３３ａ（図１参照）により、メイン制御部１０に設定された設定情報（デジタル映像信号の解像度Ｄ（１０８０ｉ））が取得される。
【００３４】
その後、ステップＳ１２において、サブ制御部３３ａにより、対応するＨＤＭＩ接続部３２ａからデジタル映像信号が入力されているか否かが判断される。すなわち、ブルーレイレコーダー４１ａがデジタル映像信号を出力可能な状態でＨＤＭＩ接続部３２ａに接続されているか否かが判断される。そして、ステップＳ１２において、サブ制御部３３ａにより、ＨＤＭＩ接続部３２ａからデジタル映像信号が入力されていると判断された場合には、ステップＳ１３に進む。また、ステップＳ１２において、ＨＤＭＩ接続部３２ａからデジタル映像信号が入力されていると判断されるまでこの動作が繰り返される。
【００３５】
その後、ステップＳ１３において、サブ制御部３３ａにより、ＨＤＭＩ接続部３２ａから入力されたデジタル映像信号の認証処理が行われる。具体的には、サブ制御部３３ａのＨＤＣＰ認証部３３０ａ（図２参照）により、ＨＤＭＩ接続部３２ａから入力されたデジタル映像信号について、ＨＤＣＰ技術を用いた暗号信号を解除する認証処理が行われる。これにより、デジタル映像信号をコピーされるのを防止することにより、デジタル映像信号の著作権の保護を行うことが可能となる。
【００３６】
そして、ステップＳ１４において、サブ制御部３３ａの画像データ処理部３３１ａにより、ＨＤＣＰ認証部３３０ａにより認証処理されたデジタル映像信号の解像度Ａ（４８０ｐ）を解像度Ｄ（１０８０ｉ）に変換する処理が行われる。つまり、サブ制御部３３ａの画像データ処理部３３１ａにより、ＨＤＭＩ接続部３２ａから入力されたデジタル映像信号は、メイン制御部１０から送信された設定情報（デジタル映像信号の解像度Ｄ（１０８０ｉ）の情報）に基づき、解像度Ｄ（１０８０ｉ）にアップスケール処理（超解像処理）される。
【００３７】
その後、ステップＳ１５において、サブ制御部３３ａの画像データ処理部３３１ａにより、デジタル映像信号の画像処理が行われる。たとえば、ステップＳ１５において、画像データ処理部３３１ａにより、メイン制御部１０から送信された設定情報に基づきデジタル映像信号のｂｉｔ数が所定のｂｉｔ数に変換されるとともに、カラー信号がＹＣｒＣｂ信号からＲＧＢ信号に変換される。上記のようにステップＳ１３〜Ｓ１５におけるサブ制御部３３ａによる処理によって、ＨＤＭＩ接続部３２ａから入力されたデジタル映像信号の画像データ処理が予め行われる。また、上記ステップＳ１３〜Ｓ１５の処理により、後述するステップＳ１７におけるメイン制御部１０への映像出力後に、メイン制御部１０により、スムーズに映像の出画を行うことが可能となる。
【００３８】
その後、ステップＳ１６において、サブ制御部３３ａにより、メイン制御部１０よりデジタル映像信号をメイン制御部１０に出力するように命令されたか否かが判断される。そして、ステップＳ１６において、サブ制御部３３ａにより、後述するステップＳ３におけるメイン制御部１０による出力命令が受信された場合には、ステップＳ１７に進む。そして、ステップＳ１７において、デジタル映像信号がメイン制御部１０に出力され、サブ制御部３３ａによるデジタル映像信号の処理が終了される。また、ステップＳ１６において、サブ制御部３３ａにより、メイン制御部１０による出力命令が受信されるまで、上記判断が繰り返される。
【００３９】
また、ステップＳ２において、メイン制御部１０により、ユーザによる入力切替ボタン３４の切替操作に基づいてＨＤＭＩ接続部３２ａが選択されたか否かが判断される。そして、ステップＳ２において、メイン制御部１０により、ＨＤＭＩ接続部３２ａが選択されるまで、上記判断が繰り返される。また、ステップＳ２において、メイン制御部１０により、ＨＤＭＩ接続部３２ａが選択されたと判断された場合には、ステップＳ３に進む。そして、ステップＳ３において、メイン制御部１０により、ＨＤＭＩ接続部３２ａと対応するサブ制御部３３ａに対してデジタル映像信号の出力命令の送信が行われる。
【００４０】
その後、ステップＳ４において、メイン制御部１０により、サブ制御部３３ａよりデジタル映像信号が入力されているか否かが判断される。つまり、ステップＳ４において、上述したステップＳ１７により送信されたデジタル映像信号が入力されているか否かが判断される。そして、ステップＳ４において、メイン制御部１０により、デジタル映像信号がサブ制御部３３ａにより入力されたと判断されるまで、上記判断が繰り返される。また、ステップＳ４において、メイン制御部１０により、デジタル映像信号がサブ制御部３３ａにより入力されたと判断された場合には、ステップＳ５に進む。
【００４１】
そして、ステップＳ５において、メイン制御部１０により、サブ制御部３３ａにより送信されるデジタル映像信号に基づいて、映像表示部１３に映像が表示される。この場合、上述したステップＳ１３〜Ｓ１５によりデジタル映像信号の認証処理および画像データ処理が行われているため、サブ制御部３３ａより送信されるデジタル映像信号に対応する映像を即時に映像表示部１３に表示させることが可能となる。
【００４２】
第１実施形態では、上記のように、ＨＤＭＩ接続部３２ａ〜３２ｄに入力されたデジタル映像信号の認証処理を予め行うとともに、ＨＤＭＩ接続部３２ａ〜３２ｄに入力されたデジタル映像信号の画像データ処理を予め行うように構成されたサブ制御部３３ａ〜３３ｄを設け、メイン制御部１０を、映像表示部１３に表示する映像をＨＤＭＩ接続部３２ａ〜３２ｄに入力されたデジタル映像信号に対応する映像に切り替える切替操作に基づいて、サブ制御部３３ａ〜３３ｄにより予め行われた認証処理済みおよび画像データ処理済みの映像を映像表示部１３に出力させるように構成することによって、ユーザにより映像表示部１３に表示する映像をＨＤＭＩ接続部３２ａ〜３２ｄに入力されたデジタル映像信号に対応する映像に切り替える切替操作があった場合にも、サブ制御部３３ａ〜３３ｄによりデジタル映像信号の認証処理および画像データ処理が予め行われているので、切替操作後におけるメイン制御部１０側でのデジタル映像信号に関する処理の量を減らすことができる。これにより、切替操作後においてデジタル映像信号の認証処理および画像データ処理が行われない分、デジタル映像信号を切り替える際の時間を短縮化することができるので、映像信号を切り替える際に、メイン制御部１０側において高速にコンテンツの映像を表示することができる。
【００４３】
また、第１実施形態では、上記のように、サブ制御部３３ａ〜３３ｄを、デジタル映像信号が入力されているＨＤＭＩ接続部３２ａ〜３２ｄに対して、デジタル映像信号の認証処理および画像データ処理を予め並行して行うように構成することによって、映像表示部１３に表示する映像をデジタル映像信号が入力されているＨＤＭＩ接続部３２ａ〜３２ｄに対応する映像に切り替える切替操作がユーザにより行われた場合にも、デジタル映像信号の認証処理および画像データ処理が予め並行して行われているので、容易に、デジタル映像信号を切り替える際の時間を短縮化することができる。
【００４４】
また、第１実施形態では、上記のように、サブ制御部３３ａ〜３３ｄを、ＨＤＭＩ接続部３２ａ〜３２ｄから入力されたデジタル映像信号を所定の解像度Ｄ（１０８０ｉ）に調整することにより、デジタル映像信号の画像データ処理を予め行うように構成することによって、画像データ処理のうち比較的処理時間を必要とする解像度の調整を切替操作後に行う必要がないので、デジタル映像信号を切り替える際の時間を効果的に短縮化することができる。
【００４５】
また、第１実施形態では、上記のように、サブ制御部３３ａ〜３３ｄを、対応するＨＤＭＩ接続部３２ａ〜３２ｄから入力されたデジタル映像信号を同一の所定の解像度Ｄ（１０８０ｉ）に調整することにより、デジタル映像信号の画像データ処理を予め行うように構成することによって、サブ制御部３３ａ〜３３ｄからメイン制御部１０に伝達されるデジタル映像信号の解像度を統一することができるので、サブ制御部３３ａ〜３３ｄによる画像データ処理後のメイン制御部１０によるデジタル映像信号の処理をより簡素化することができる。これにより、デジタル映像信号を切り替える際の時間をより短縮化することができるので、映像信号を切り替える際に、液晶テレビジョン１００側において高速にコンテンツの映像を表示することができる。
【００４６】
また、第１実施形態では、上記のように、サブ制御部３３ａ〜３３ｄを、メイン制御部１０が処理可能なデジタル映像信号の解像度Ｄ（１０８０ｉ）をメイン制御部１０から取得するとともに、ＨＤＭＩ接続部３２ａ〜３２ｄから入力されたデジタル映像信号をメイン制御部１０が処理可能なデジタル映像信号の解像度Ｄに調整することにより、デジタル映像信号の画像データ処理を予め行うように構成することによって、サブ制御部３３ａ〜３３ｄによりメイン制御部１０が処理可能な解像度Ｄになるように画像データ処理が行われる分、サブ制御部３３ａ〜３３ｄによる画像データ処理後のメイン制御部１０によるデジタル映像信号の処理をより簡素化することができる。これにより、デジタル映像信号を切り替える際の時間をより短縮化することができるので、映像信号を切り替える際に、メイン制御部１０側において高速にコンテンツの映像を表示することができる。
【００４７】
また、第１実施形態では、上記のように、サブ制御部３３ａ〜３３ｄを、メイン制御部１０が処理可能なデジタル映像信号の解像度のうち最高の解像度Ｄ（１０８０ｉ）をメイン制御部１０から取得するように構成することによって、デジタル映像信号を切り替える際の時間をより短縮しながら、メイン制御部１０（液晶テレビジョン１００）における最高の解像度で映像表示部１３にコンテンツの映像を表示させることができる。
【００４８】
また、第１実施形態では、上記のように、外部入力接続部（ＨＤＭＩ接続部３２ａ〜３２ｄ）に、外部からデジタル映像信号を受信可能なＨＤＭＩ接続部３２ａ〜３２ｄを適用することによって、認証処理および画像データ処理に時間を要するデジタル映像信号であっても、切替操作後においてデジタル映像信号の認証処理および画像データ処理が行われない分、デジタル映像信号を切り替える際の時間を短縮化することができる。
【００４９】
また、第１実施形態では、上記のように、外部入力接続部（ＨＤＭＩ接続部３２ａ〜３２ｄ）に、外部からデジタル映像信号を受信可能なＨＤＭＩ接続部３２ａ〜３２ｄを適用することによって、ＨＤＭＩ接続部３２ａ〜３２ｄを有する液晶テレビジョン１００である場合にも、容易に、デジタル映像信号を切り替える際の時間を短縮化することができる。
【００５０】
（第２実施形態）
次に、図４を参照して、本発明の第２実施形態による液晶テレビジョン３００について説明する。この第２実施形態では、ＨＤＭＩ接続部３２ａ〜３２ｄから入力されたデジタル映像信号の解像度Ａ〜Ｃを同一の所定の解像度Ｄ（１０８０ｉ）に調整する上記第１実施形態とは異なり、ＨＤＭＩ接続部３２ａ〜３２ｄから入力されたデジタル映像信号の解像度をメイン制御部１１０に通知するとともに、デジタル映像信号の解像度を通知した解像度と同じ解像度になるように、画像データ処理を行う例について説明する。
【００５１】
第２実施形態による液晶テレビジョンでは、図４に示すように、サブ制御部１３３ａ〜１３３ｄは、それぞれ対応するＨＤＭＩ接続部３２ａ〜３２ｄから入力されたデジタル映像信号を所定の解像度に調整することにより、デジタル映像信号の画像データ処理を予め行うように構成されている。また、サブ制御部１３３ａ〜１３３ｄは、それぞれ対応するＨＤＭＩ接続部３２ａ〜ＨＤＭＩ接続部３２ｄに入力されるデジタル映像信号を取得した際に、入力されたデジタル映像信号の解像度を認識可能に構成されている。また、サブ制御部１３３ａ〜１３３ｄは、それぞれメイン制御部１１０に接続されており、入力されたデジタル映像信号の解像度をメイン制御部１１０に通知するように構成されている。また、メイン制御部１１０に通知されたデジタル映像信号の解像度は、それぞれ記憶部１２に記憶されている。
【００５２】
たとえば、第２実施形態の場合には、サブ制御部１３３ａは、サブ制御部１３３ａ（ＨＤＭＩ接続部３２ａ）に入力されるデジタル映像信号の解像度Ａ（４８０ｐ）をメイン制御部１１０に通知するように構成されている。また、サブ制御部１３３ｂは、サブ制御部１３３ｂ（ＨＤＭＩ接続部３２ｂ）に入力されるデジタル映像信号の解像度Ｂ（７２０ｐ）をメイン制御部１１０に通知するように構成されている。また、サブ制御部１３３ｃは、サブ制御部１３３ｃ（ＨＤＭＩ接続部３２ｃ）に入力されるデジタル映像信号の解像度Ｃ（７２０ｉ）をメイン制御部１１０に通知するように構成されている。また、サブ制御部１３３ｄは、サブ制御部１３３ｄ（ＨＤＭＩ接続部３２ｄ）に入力されるデジタル映像信号の解像度Ｅ（１０８０ｉを超える解像度）をメイン制御部１１０に通知するように構成されている。なお、解像度Ｅは、メイン制御部１１０が処理可能なデジタル映像信号の解像度Ｄ（１０８０ｉ）を超える解像度であり、メイン制御部１１０は、解像度Ｅで映像表示部１３に映像を表示することができない。
【００５３】
そして、サブ制御部１３３ａ〜１３３ｄは、入力されたデジタル映像信号の解像度をメイン制御部１１０に通知した解像度と同じ解像度になるように、画像データ処理を行うように構成されている。たとえば、第２実施形態の場合には、サブ制御部１３３ａの画像データ処理部３３３ａは、ＨＤＭＩ接続部３２ａから入力されたデジタル映像信号の解像度Ａ（４８０ｐ）と同じ解像度Ａ（４８０ｐ）になるように、画像データ処理を行うように構成されている。また、サブ制御部１３３ｂの画像データ処理部３３３ｂは、ＨＤＭＩ接続部３２ｂから入力されたデジタル映像信号の解像度Ｂ（７２０ｐ）と同じ解像度Ｂ（７２０ｐ）になるように、画像データ処理を行うように構成されている。また、サブ制御部１３３ｃの画像データ処理部３３３ｃは、ＨＤＭＩ接続部３２ｃから入力されたデジタル映像信号の解像度Ｃ（７２０ｉ）と同じ解像度Ｃ（７２０ｉ）になるように、画像データ処理を行うように構成されている。
【００５４】
なお、上記のように、メイン制御部１１０は、ＨＤＭＩ接続部３２ｄから入力されたデジタル映像信号の解像度Ｅ（１０８０ｉ超）のままでは表示処理することができない。このため、サブ制御部１３３ｄの画像データ処理部３３３ｄは、ＨＤＭＩ接続部３２ｄから入力されたデジタル映像信号の解像度Ｅ（１０８０ｉ超）をメイン制御部１１０が処理可能な最高の解像度である解像度Ｄ（１０８０ｉ）になるように、画像データ処理を行うように構成されている。
【００５５】
なお、第２実施形態のその他の構成は、上記第１実施形態と同様である。
【００５６】
次に、図４および図５を参照して、第２実施形態による液晶テレビジョンにおけるデジタル映像信号の処理フローについて説明する。なお、第２実施形態では、第１実施形態と同様に、メイン制御部１１０とサブ制御部１３３ａ〜１３３ｄの各々とによりデジタル映像信号が処理される際の一例として、メイン制御部１１０とサブ制御部１３３ａとの処理フローについて説明する。
【００５７】
まず、図５に示すように、ステップＳ２１において、サブ制御部１３３ａにより、対応するＨＤＭＩ接続部３２ａからデジタル映像信号が入力されているか否かが判断される。すなわち、ブルーレイレコーダー４１ａがデジタル映像信号を出力可能な状態でＨＤＭＩ接続部３２ａに接続されているか否かが判断される。そして、ステップＳ２１において、サブ制御部１３３ａにより、対応するＨＤＭＩ接続部３２ａからデジタル映像信号が入力されていると判断された場合には、ステップＳ２２に進む。また、ステップＳ２１において、対応するＨＤＭＩ接続部３２ａからデジタル映像信号が入力されていると判断されるまでこの動作が繰り返される。
【００５８】
その後、ステップＳ２２において、サブ制御部１３３ａにより、ＨＤＭＩ接続部３２ａから入力されたデジタル映像信号の認証処理が行われる。具体的には、サブ制御部１３３ａのＨＤＣＰ認証部３３０ａ（図４参照）により、ＨＤＭＩ接続部３２ａから入力されたデジタル映像信号について、ＨＤＣＰ技術を用いた暗号信号を解除する認証処理が行われる。これにより、デジタル映像信号をコピーされるのを防止することにより、デジタル映像信号の著作権の保護を行うことが可能となる。
【００５９】
そして、ステップＳ２３において、サブ制御部１３３ａの画像データ処理部３３３ａにより、ＨＤＣＰ認証部３３０ａにより認証処理されたデジタル映像信号の解像度処理が行われる。つまり、第２実施形態では、サブ制御部１３３ａに入力されたデジタル映像信号の解像度と同じ解像度になるように解像度処理が行われる。なお、第２実施形態では、メイン制御部１１０が処理可能な解像度Ｄ（１０８０ｉ）を超える解像度Ｅ（１０８０ｉ超）がサブ制御部１３３ａ〜１３３ｄに入力された場合のみ、サブ制御部１３３ａ〜１３３ｄにより、メイン制御部１１０により処理可能な解像度Ｄ（１０８０ｉ）に変換する処理が行われる。
【００６０】
その後、ステップＳ２４において、サブ制御部１３３ａの画像データ処理部３３３ａにより、デジタル映像信号の画像処理が行われる。上記のようにステップＳ２２〜Ｓ２４におけるサブ制御部１３３ａによる処理によって、ＨＤＭＩ接続部３２ａから入力されたデジタル映像信号の画像データ処理が予め行われる。また、上記ステップＳ２２〜Ｓ２４の処理により、後述するステップＳ２７におけるメイン制御部１１０への映像出力後に、メイン制御部１１０により、スムーズに映像の出画を行うことが可能となる。
【００６１】
その後、ステップＳ２５において、サブ制御部１３３ａにより、メイン制御部１１０よりデジタル映像信号をメイン制御部１１０に出力するように命令されたか否かが判断される。
【００６２】
具体的には、ステップＳ３１において、メイン制御部１１０により、ユーザによる入力切替ボタン３４の切替操作に基づいてＨＤＭＩ接続部３２ａ〜３２ｄのうちＨＤＭＩ接続部３２ａが選択されたか否かが判断される。そして、ステップＳ３１において、メイン制御部１１０により、ＨＤＭＩ接続部３２ａが選択されるまで、上記判断が繰り返される。また、ステップＳ３１において、メイン制御部１１０により、ＨＤＭＩ接続部３２ａが選択されたと判断された場合には、ステップＳ３２に進む。そして、ステップＳ３２において、メイン制御部１１０により、ＨＤＭＩ接続部３２ａと対応するサブ制御部１３３ａに対してデジタル映像信号の出力命令の送信が行われる。
【００６３】
そして、サブ制御部１３３ａでは、ステップＳ２５において、上記メイン制御部１１０の出力命令の送信に伴ってメイン制御部１１０による出力命令が受信された場合には、ステップＳ２６に進む。また、ステップＳ２５において、サブ制御部１３３ａにより、メイン制御部１１０による出力命令が受信されるまで、上記判断が繰り返される。
【００６４】
その後、ステップＳ２６において、サブ制御部１３３ａにより、メイン制御部１１０に対してデジタル映像信号の解像度が送信（通知）される。そして、ステップＳ２７において、デジタル映像信号がメイン制御部１１０に出力され、サブ制御部１３３ａによるデジタル映像信号の処理が終了される。
【００６５】
また、ステップＳ３３において、メイン制御部１１０により、上記ステップＳ２６におけるデジタル映像信号の解像度が送信（通知）に基づいて、ＨＤＭＩ接続部３２ａから入力されるデジタル映像信号の解像度が取得され、取得された解像度が記憶部１２に保存される。
【００６６】
その後、ステップＳ３４において、メイン制御部１１０により、サブ制御部１３３ａよりデジタル映像信号が入力されているか否かが判断される。つまり、ステップＳ３４において、上述したステップＳ２７により送信されたデジタル映像信号が入力されているか否かが判断される。そして、ステップＳ３４において、メイン制御部１１０により、デジタル映像信号がサブ制御部１３３ａにより入力されたと判断されるまで、上記判断が繰り返される。また、ステップＳ３４において、メイン制御部１１０により、デジタル映像信号がサブ制御部１３３ａにより入力されたと判断された場合には、ステップＳ３５に進む。
【００６７】
そして、ステップＳ３５において、メイン制御部１１０により、サブ制御部１３３ａにより送信されるデジタル映像信号に基づいて、映像表示部１３に映像が表示される。この場合、上述したステップＳ２２〜Ｓ２４によりデジタル映像信号の認証処理および画像データ処理が行われているため、サブ制御部１３３ａより送信されるデジタル映像信号に対応する映像を即時に映像表示部１３に表示させることが可能となる。
【００６８】
第２実施形態では、上記のように、サブ制御部１３３ａ〜１３３ｄを、ＨＤＭＩ接続部３２ａ〜３２ｄに入力されたデジタル映像信号の解像度をメイン制御部１１０に通知するとともに、メイン制御部１１０に通知した解像度と同じ解像度になるように、ＨＤＭＩ接続部３２ａ〜３２ｄに入力されたデジタル映像信号の画像データ処理を予め行うように構成することによって、ＨＤＭＩ接続部３２ａ〜３２ｄ毎に異なる解像度のデジタル映像信号が入力される場合にも、ＨＤＭＩ接続部３２ａ〜３２ｄに入力されたデジタル映像信号の解像度が予めメイン制御部１１０に通知されるので、入力されるデジタル映像信号の解像度で表示を行うための映像表示部１３に対する表示処理をメイン制御部１０側で迅速に行うことができる。これにより、デジタル映像信号の解像度が変更される（異なる解像度の映像信号が入力される）場合の表示処理を高速化することができるので、デジタル映像信号を切り替える際の時間をより短縮化することができる。
【００６９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７０】
たとえば、上記第１および第２実施形態では、本発明のテレビジョン装置を液晶テレビジョンに適用した例について示したが、本発明はこれに限られない。たとえば、プラズマ表示画面を有するプラズマテレビジョンなど、液晶以外の表示画面を有するテレビジョン装置に本発明のテレビジョン装置を適用してもよい。
【００７１】
また、上記第１および第２実施形態では、ＨＤＭＩ接続部からなる外部入力接続部に本発明を適用した例について示したが、本発明はこれに限らない。デジタル映像信号の認証処理および画像データ処理を行う必要のあるデジタル映像信号を送信可能な外部入力接続部であれば、ＤＶＩ接続部などのＨＤＭＩ接続部以外の外部入力接続部に本発明を適用してもよい。
【００７２】
また、上記第１および第２実施形態では、ブルーレイ（Ｂｌｕ−ｒａｙ（登録商標））レコーダーに本発明の外部機器を適用した例について示したが、本発明はこれに限らない。たとえば、ブルーレイ（Ｂｌｕ−ｒａｙ（登録商標））プレーヤーおよび外付けハードディスクドライブなど、デジタル映像信号を出力可能な外部機器であれば、ブルーレイ（Ｂｌｕ−ｒａｙ（登録商標））レコーダー以外の外部機器に本発明を適用してもよい。
【００７３】
また、上記第１および第２実施形態では、各ＨＤＭＩ接続部間におけるデジタル映像信号の切替操作に基づいて、認証処理済みおよび画像データ処理済みの映像を映像表示部に表示させる例について示したが、本発明はこれに限らない。ＨＤＭＩ接続部と内蔵ＴＶチューナー部との間におけるデジタル映像信号の切替操作に基づいて、認証処理済みおよび画像データ処理済みの映像を映像表示部に表示させるようにしてもよい。
【００７４】
また、上記第１および第２実施形態では、外部入力接続部としてＨＤＭＩ接続部を４つ設けた例について示したが、本発明はこれに限らない。たとえば、ＨＤＭＩ接続部を１〜３つ設けてもよいし、５つ以上設けてもよい。また、ＨＤＭＩ接続部のみならず、ＨＤＭＩ接続部およびＤＶＩ接続部を合わせて設けてもよい。
【００７５】
また、上記第１実施形態では、外部入力接続部から入力されたデジタル映像信号を所定の解像度（１０８０ｉ）に統一する画像データ処理を行う例について示したが、本発明はこれに限られない。本発明では、外部入力接続部から入力されたデジタル映像信号を１０８０ｉを超える解像度に統一する画像データ処理を行ってもよい。また、外部入力接続部から入力されたデジタル映像信号を１０８０ｉよりも小さい解像度に統一する画像データ処理を行ってもよい。
【符号の説明】
【００７６】
１０、１１０  メイン制御部
１３  映像表示部（表示部）
３２ａ、３２ｂ、３２ｃ、３２ｄ  ＨＤＭＩ接続部（外部接続部）
３３ａ、３３ｂ、３３ｃ、３３ｄ、１３３ａ、１３３ｂ、１３３ｃ、１３３ｄ  サブ制御部
４１ａ、４１ｂ、４１ｃ、４１ｄ  ブルーレイレコーダー（外部入力機器）
１００、３００  液晶テレビジョン（テレビジョン装置）
【図１】
2011160240.tif 000003
【図２】
2011160240.tif 000004
【図３】
2011160240.tif 000005
【図４】
2011160240.tif 000006
【図５】
2011160240.tif 000007